(57)【要約】複数のゴルフクラブを収容するための主区画室、及びゴルフバッグ本体に取り付けられるが係合位置と離脱位置との間を移動できるフリップポケット（120）を含んでもよいゴルフバッグを記載する。当該バッグは、（a）フリップポケットを係合位置で解放可能に保持するための解放可能コネクタシステム、（b）固定ストラップに対するゴルフバッグ本体の移動を防止するための滑り防止要素、及び/又は、（c）ゴルフクラブが主区画室内に収納されるときにゴルフクラブを互いから分離して保つのに役立つ仕切りを更に含んでもよい。任意で、当該仕切りの外周は、（ゴルフバッグが直立態様で方向付けられるときに）前後方向に延びている第1の軸に対して対称であってもよく、左右方向に延びている第2の軸に対して対称であってもよく、且つ/又は、上下方向に延びている第3の軸に対して対称であってもよい。そのようなゴルフバッグを作製及び使用する方法も記載する。2014519954.tif 000003
2014519954.tif 000002
【特許請求の範囲】
【請求項１】
複数のゴルフクラブを収容するための主区画室を画定するゴルフバッグ本体部材であって、収容されるゴルフクラブシャフトを受けるための開口した第1の端部を含む、ゴルフバッグ本体部材；
フリップポケット；及び
該フリップポケットを該ゴルフバッグ本体部材と係合させるための係合システムであって、該フリップポケットの第1の部分を該ゴルフバッグ本体部材と取り外し不能に係合させ、且つ（a）該ゴルフバッグ本体部材の表面積の一部分が覆われた状態にある閉塞位置と（b）該ゴルフバッグ本体部材の表面積のその同じ部分が露出された状態にある開放位置との間を該フリップポケットの第2の部分が該フリップポケットの該第1の部分に対して移動できるようにする、係合システム
を含むゴルフバッグ。
【請求項２】
前記ゴルフバッグ本体部材と係合されているか又は該ゴルフバッグ本体部材の一部として一体形成されている第1の滑り防止要素を更に含み、該第1の滑り防止要素が、前記フリップポケットが前記閉塞位置にあるときに該フリップポケットの裏面によって少なくとも部分的に覆われる、請求項1記載のゴルフバッグ。
【請求項３】
前記ゴルフバッグ本体部材と係合されているか又は該ゴルフバッグ本体部材の一部として一体形成されている第1の滑り防止要素を更に含み、該第1の滑り防止要素が、前記フリップポケットが前記閉塞位置にあるときに該フリップポケットの裏面によって完全に覆われる、請求項1記載のゴルフバッグ。
【請求項４】
前記フリップポケットの裏面が、前記ゴルフバッグ本体部材と、その全周にわたって取り外し不能に係合されてはいない、請求項1記載のゴルフバッグ。
【請求項５】
複数のゴルフクラブを収容するための主区画室を画定する容器であって、収容されるゴルフクラブシャフトを受けるための開口した第1の端部を有する上端部を含む、容器；
該容器の該上端部に近接して該容器と取り外し不能に係合されているか又は該容器の一部として一体形成されている第1の部分と、該容器と取り外し不能に係合されてはおらず且つ該容器の一部として一体形成されてはいない第2の部分とを含むフリップポケットであって、該フリップポケットが係合位置と離脱位置との間を移動できる、フリップポケット；及び
該フリップポケットを該係合位置に解放可能に保持するための解放可能コネクタシステムであって、（a）該フリップポケットの該第1の部分よりも該フリップポケットの該第2の部分の近くで該フリップポケットと係合されているか又は該フリップポケットの一部として一体形成されている第1の構成要素と、（b）該フリップポケットが該係合位置にあるときに該第1の構成要素と相互作用できるように所定の場所で該容器と係合されているか又は該容器の一部として一体形成されている第2の構成要素とを含む、解放可能コネクタシステム
を含むゴルフバッグ。
【請求項６】
前記解放可能コネクタシステムの前記第1の構成要素が磁石を含み、該解放可能コネクタシステムの前記第2の構成要素が磁石を含む、請求項5記載のゴルフバッグ。
【請求項７】
前記解放可能コネクタシステムの前記第1の構成要素が磁石を含み、該解放可能コネクタシステムの前記第2の構成要素が該磁石に引き付けられる金属材料を含む、請求項5記載のゴルフバッグ。
【請求項８】
前記解放可能コネクタシステムの前記第2の構成要素が磁石を含み、該解放可能コネクタシステムの前記第1の構成要素が該磁石に引き付けられる金属材料を含む、請求項5記載のゴルフバッグ。
【請求項９】
前記解放可能コネクタシステムが面ファスナーシステムを含む、請求項5記載のゴルフバッグ。
【請求項１０】
前記解放可能コネクタシステムがスナップコネクタを含む、請求項5記載のゴルフバッグ。
【請求項１１】
前記解放可能コネクタシステムが留め具コネクタを含む、請求項5記載のゴルフバッグ。
【請求項１２】
前記容器と係合されているか又は該容器の一部として一体形成されている第1の滑り防止要素を更に含み、該第1の滑り防止要素が、前記フリップポケットが前記係合位置にあるときに該フリップポケットによって少なくとも部分的に覆われるように所定位置に位置付けられている、請求項5記載のゴルフバッグ。
【請求項１３】
前記容器と係合されているか又は該容器の一部として一体形成されている第1の滑り防止要素を更に含み、該第1の滑り防止要素が、前記フリップポケットが前記係合位置にあるときに該フリップポケットによって完全に覆われるように寸法付けられており且つ所定位置に位置付けられている、請求項5記載のゴルフバッグ。
【請求項１４】
前記容器と係合されているか又は該容器の一部として一体形成されている第1の滑り防止要素であって、前記フリップポケットが前記係合位置にあるときに該フリップポケットによって少なくとも部分的に覆われるように所定位置に位置付けられている、第1の滑り防止要素；
該容器と係合されているか又は該容器の一部として一体形成されている第2の滑り防止要素であって、該フリップポケットの第1の側に位置付けられている、第2の滑り防止要素；及び
該容器と係合されているか又は該容器の一部として一体形成されている第3の滑り防止要素であって、該第1の側の反対側である該フリップポケットの第2の側に位置付けられている、第3の滑り防止要素
を更に含む、請求項5記載のゴルフバッグ。
【請求項１５】
前記フリップポケットが前記係合位置にあるときに前記第2の滑り防止要素が該フリップポケットにより覆われず、該フリップポケットが該係合位置にあるときに前記第3の滑り防止要素が該フリップポケットにより覆われない、請求項14記載のゴルフバッグ。
【請求項１６】
前記解放可能コネクタシステムの前記第1の構成要素が前記フリップポケットの第1の側に位置付けられており、該解放可能コネクタシステムが、該第1の側の反対側である該フリップポケットの第2の側であり且つ該フリップポケットの前記第1の部分よりも該フリップポケットの前記第2の部分の近くで該フリップポケットと係合されている第3の構成要素を更に含む、請求項5記載のゴルフバッグ。
【請求項１７】
前記解放可能コネクタシステムの前記第3の構成要素が、前記フリップポケットが前記係合位置にあるときに前記第2の構成要素と相互作用できるように所定の場所に設けられている、請求項16記載のゴルフバッグ。
【請求項１８】
前記解放可能コネクタシステムが、前記フリップポケットが前記係合位置にあるときに前記第3の構成要素と相互作用できるように所定の場所で前記容器と係合されているか又は該容器の一部として一体形成されている第4の構成要素を更に含む、請求項16記載のゴルフバッグ。
【請求項１９】
前記解放可能コネクタシステムが、前記容器と係合されているか又は該容器の一部として一体形成されている第3の構成要素を含み、該解放可能コネクタシステムの前記第1の構成要素が、前記フリップポケットが前記係合位置にあるときに前記第2の構成要素及び該第3の構成要素の両方と相互作用できるように寸法付けられており且つ配置されている、請求項5記載のゴルフバッグ。
【請求項２０】
複数のゴルフクラブを収容するための主区画室を画定するゴルフバッグ本体部材であって、収容されるゴルフクラブシャフトを受けるための開口した第1の端部を含む、ゴルフバッグ本体部材；
該ゴルフバッグ本体部材と取り外し不能に係合されているか又は該ゴルフバッグ本体部材の一部として一体形成されている上端部と、該ゴルフバッグ本体部材と取り外し不能に係合されてはおらず且つ該ゴルフバッグ本体部材の一部として一体形成されてはいない下端部とを有するポケットであって、（a）該ポケットの第1の部分から下方に離間された場所にある第1の解放可能接続構造の第1の部分と、（b）該ポケットの該第1の部分から下方に離間された場所にある第2の解放可能接続構造の第1の部分とを含み、係合位置と離脱位置との間を移動できる、ポケット；
該ゴルフバッグ本体部材と係合されているか又は該ゴルフバッグ本体部材の一部として一体形成されている該第1の解放可能接続構造の第2の部分であって、該ポケットが該係合位置にあるときに該ポケットに設けられている該第1の解放可能接続構造の該第1の部分と相互作用できるように、該ゴルフバッグ本体部材の所定の場所に設けられている、第1の解放可能接続構造の第2の部分；
該ゴルフバッグ本体部材と係合されているか又は該ゴルフバッグ本体部材の一部として一体形成されている該第2の解放可能接続構造の第2の部分であって、該ポケットが該係合位置にあるときに該ポケットに設けられている該第2の解放可能接続構造の該第1の部分と相互作用できるように、該ゴルフバッグ本体部材の所定の場所に設けられている、第2の解放可能接続構造の第2の部分；並びに
該ゴルフバッグ本体部材と係合されているか又は該ゴルフバッグ部材の一部として一体形成されている第1の滑り防止要素であって、該ポケットの裏面及び該第1の滑り防止要素の主面が、該ポケットが該係合位置にあるときにストラップのためのスロットをもたらすように配置されている、第1の滑り防止要素
を含むゴルフバッグ。
【請求項２１】
前記第1の解放可能接続構造が少なくとも1つの磁石を含み、前記第2の解放可能接続構造が少なくとも1つの磁石を含む、請求項20記載のゴルフバッグ。
【請求項２２】
前記第1の解放可能接続構造が面ファスナーシステムを含み、前記第2の解放可能接続構造が面ファスナーシステムを含む、請求項20記載のゴルフバッグ。
【請求項２３】
前記第1の解放可能接続構造がスナップコネクタを含み、前記第2の解放可能接続構造がスナップコネクタを含む、請求項20記載のゴルフバッグ。
【請求項２４】
前記第1の解放可能接続構造が留め具コネクタを含み、前記第2の解放可能接続構造が留め具コネクタを含む、請求項20記載のゴルフバッグ。
【請求項２５】
前記ゴルフバッグ本体部材と係合されているか又は該ゴルフバッグ本体部材の一部として一体形成されている第2の滑り防止要素であって、前記ポケットの第1の側に位置付けられている、第2の滑り防止要素；及び
該ゴルフバッグ本体部材と係合されているか又は該ゴルフバッグ本体部材の一部として一体形成されている第3の滑り防止要素であって、該第1の側の反対側である該ポケットの第2の側に位置付けられている、第3の滑り防止要素
を更に含む、請求項20記載のゴルフバッグ。
【請求項２６】
前記ポケットが前記係合位置にあるときに前記第2の滑り防止要素が該ポケットにより覆われず、該ポケットが該係合位置にあるときに前記第3の滑り防止要素が前記ポケットにより覆われない、請求項25記載のゴルフバッグ。
【請求項２７】
ポケットの第1の部分をゴルフバッグ本体部材と取り外し不能に係合させる工程；
解放可能接続構造の第1の部分を該ポケットと係合させる工程；
該解放可能接続構造の第2の部分を該ゴルフバッグ本体部材と係合させる工程であって、該ポケットが、（a）該解放可能接続構造の該第1の部分及び該解放可能接続構造の該第2の部分が互いに係合されている係合状態と、（b）該解放可能接続構造の該第1の部分及び該解放可能接続構造の該第2の部分が互いに離脱されている離脱状態との間を選択的に変換でき、該離脱状態において、該ポケットの該第1の部分が該ゴルフバッグ本体部材と取り外し不能に係合されたままである、工程
を含む、ゴルフバッグを作製する方法。
【請求項２８】
前記解放可能接続構造が少なくとも1つの磁石を含む、請求項27記載のゴルフバッグを作製する方法。
【請求項２９】
前記解放可能接続構造が、磁石と、該磁石に引き付けられる金属材料とを含む、請求項27記載のゴルフバッグを作製する方法。
【請求項３０】
前記解放可能接続構造が面ファスナーシステムを含む、請求項27記載のゴルフバッグを作製する方法。
【請求項３１】
前記解放可能接続構造がスナップコネクタを含む、請求項27記載のゴルフバッグを作製する方法。
【請求項３２】
前記解放可能接続構造が留め具コネクタを含む、請求項27記載のゴルフバッグを作製する方法。
【請求項３３】
前記ゴルフバッグ本体部材の表面に又は該ゴルフバッグ本体部材の一部として第1の滑り防止要素を設ける工程を更に含み、該第1の滑り防止要素が、前記ポケットが前記係合状態にあるときに該ポケットにより少なくとも部分的に覆われるように所定位置に設けられる、請求項27記載のゴルフバッグを作製する方法。
【請求項３４】
前記ゴルフバッグ本体部材の表面に又は該ゴルフバッグ本体部材の一部として第1の滑り防止要素を設ける工程を更に含み、該第1の滑り防止要素が、前記ポケットが前記係合状態にあるときに該ポケットにより完全に覆われるように寸法付けられ且つ所定位置に設けられる、請求項27記載のゴルフバッグを作製する方法。
【請求項３５】
前記ゴルフバッグ本体部材の表面に又は該ゴルフバッグ本体部材の一部として第1の滑り防止要素を設ける工程であって、該第1の滑り防止要素が、前記ポケットが前記係合状態にあるときに該ポケットにより少なくとも部分的に覆われるように所定位置に設けられる、工程；
該ゴルフバッグ本体部材の表面に又は該ゴルフバッグ本体部材の一部として第2の滑り防止要素を設ける工程であって、該第2の滑り防止要素が該ポケットの第1の側に設けられる、工程；及び
該ゴルフバッグ本体部材の表面に又は該ゴルフバッグ本体部材の一部として第3の滑り防止要素を設ける工程であって、該第3の滑り防止要素が、該第1の側の反対側である該ポケットの第2の側に設けられる、工程
を更に含む、請求項27記載のゴルフバッグを作製する方法。
【請求項３６】
前記ポケットが前記係合状態にあるときに前記第2の滑り防止要素が該ポケットにより覆われず、該ポケットが該係合状態にあるときに前記第3の滑り防止要素が該ポケットにより覆われない、請求項35記載のゴルフバッグを作製する方法。
【請求項３７】
前記解放可能接続構造が、前記ポケットの第1の側に位置付けられている第1のコネクタと、該ポケットの該第1の側の反対側である該ポケットの第2の側に位置付けられている第2のコネクタとを含む、請求項27記載のゴルフバッグを作製する方法。
【請求項３８】
前記ポケットの前記第1の部分とゴルフバッグ本体部材とを係合させる工程が、該ポケットの該第1の部分を縫い目によって該ゴルフバッグ本体部材に取り付けることを含む、請求項27記載のゴルフバッグを作製する方法。
【請求項３９】
ゴルフバッグ本体部材を用意する工程；及び
係合システムを使用してフリップポケットの第1の部分をゴルフバッグ本体部材と取り外し不能に係合させる工程であって、該係合システムによって、（a）該ゴルフバッグ本体部材の表面積の一部分が覆われた状態にある閉塞位置と（b）該ゴルフバッグ本体部材の表面積のその同じ部分が露出された状態にある開放位置との間を、該フリップポケットの第2の部分が該フリップポケットの該第1の部分に対して移動できるようになる、工程
を含む、ゴルフバッグを作製する方法。
【請求項４０】
ゴルフバッグを搬送装置の支持部の上に配置する工程であって、該ゴルフバッグが、（a）複数のゴルフクラブを収容するための主区画室を画定するゴルフバッグ本体部材と、（b）該ゴルフバッグ本体部材と取り外し不能に係合されているか又は該ゴルフバッグ本体部材の一部として一体形成されている第1の部分を有するポケットであって、該ポケットの該第1の部分から離間された場所にある解放可能接続構造の第1の部分を含む、ポケットと、（c）該ゴルフバッグ本体部材と係合されているか又は該ゴルフバッグ本体部材の一部として一体形成されている該解放可能接続構造の第2の部分とを含み、該ポケットが係合位置とめくり上げ位置との間を選択的に移動できる、工程；
該ポケットを該めくり上げ位置に配置する工程；
固定ストラップを該ゴルフバッグ本体部材の少なくとも一部の周囲にわたって延在させる工程；
該固定ストラップを使用して該ゴルフバッグ本体部材を該搬送装置に固定する工程；
該固定ストラップを部分的に覆うように該ポケットを該係合位置へ移動させる工程；及び
該ポケットを該係合位置で解放可能に保持するために、該解放可能接続構造の該第1の部分と該解放可能接続構造の該第2の部分とを解放可能に係合させる工程
を含む、ゴルフバッグを搬送装置に固定する方法。
【請求項４１】
前記解放可能接続構造の前記第1の部分が第1の磁石を含み、該解放可能接続構造の前記第2の部分が第2の磁石を含み、前記解放可能に係合させる工程が、磁気的な引力を使用して、該第1の磁石を該第2の磁石に対して解放可能に固定することを含む、請求項40記載のゴルフバッグを搬送装置に固定する方法。
【請求項４２】
前記解放可能接続構造の前記第1の部分が磁石を含み、該解放可能接続構造の前記第2の部分が、該磁石に引き付けられる金属材料を含み、前記解放可能に係合させる工程が、磁気的な引力を使用して、該磁石を該金属材料に対して解放可能に固定することを含む、請求項40記載のゴルフバッグを搬送装置に固定する方法。
【請求項４３】
前記解放可能接続構造の前記第2の部分が磁石を含み、該解放可能接続構造の前記第1の部分が、該磁石に引き付けられる金属材料を含み、前記解放可能に係合させる工程が、磁気的な引力を使用して、該磁石を該金属材料に対して解放可能に固定することを含む、請求項40記載のゴルフバッグを搬送装置に固定する方法。
【請求項４４】
前記解放可能接続構造が面ファスナーシステムを含み、前記解放可能に係合させる工程が、該面ファスナーシステムのフック部と該面ファスナーシステムのループ部とを係合させることを含む、請求項40記載のゴルフバッグを搬送装置に固定する方法。
【請求項４５】
前記解放可能接続構造がスナップコネクタを含み、前記解放可能に係合させる工程が、該スナップコネクタの一部同士を係合させることを含む、請求項40記載のゴルフバッグを搬送装置に固定する方法。
【請求項４６】
前記解放可能接続構造が留め具コネクタを含み、前記解放可能に係合させる工程が、該留め具コネクタの一部同士を係合させることを含む、請求項40記載のゴルフバッグを搬送装置に固定する方法。
【請求項４７】
前記ゴルフバッグ本体部材が第1の滑り防止要素を更に含み、該第1の滑り防止要素が、前記ポケットが前記係合位置にあるときに少なくとも部分的に前記ポケットの真下に位置付けられ、前記延在させる工程が、前記固定ストラップの一部を該第1の滑り防止要素と接触させた状態に配置することを含む、請求項40記載のゴルフバッグを搬送装置に固定する方法。
【請求項４８】
前記ゴルフバッグ本体部材が、前記ポケットが前記係合位置にあるときに少なくとも部分的に該ポケットの真下に位置付けられる第1の滑り防止要素と、該ポケットの第1の側に位置付けられている第2の滑り防止要素と、該第1の側の反対側である該ポケットの第2の側に位置付けられている第3の滑り防止要素とを更に含み、前記延在させる工程が、前記固定ストラップの一部を該第1の滑り防止要素、該第2の滑り防止要素、及び該第3の滑り防止要素と接触させた状態に配置することを含む、請求項40記載のゴルフバッグを搬送装置に固定する方法。
【請求項４９】
前記ポケットが前記係合状態にあるときに前記第2の滑り防止要素が該ポケットにより覆われず、該ポケットが該係合状態にあるときに前記第3の滑り防止要素が該ポケットにより覆われない、請求項48記載のゴルフバッグを搬送装置に固定する方法。
【請求項５０】
前記ポケットが第2の解放可能接続構造の第1の部分を更に含み、前記ゴルフバッグ本体部材が該第2の解放可能構造の第2の部分を更に含み、前記解放可能に係合させる工程が、該第2の解放可能接続構造の該第1の部分と該第2の解放可能接続構造の該第2の部分とを係合させることを更に含む、請求項40記載のゴルフバッグを搬送装置に固定する方法。
【請求項５１】
前記ゴルフバッグ本体部材が、前記ポケットが前記係合位置にあるときに少なくとも部分的に該ポケットの真下に位置付けられる第1の滑り防止要素と、該第1の滑り防止要素とは別個の第2の滑り防止要素とを更に含み、前記延在させる工程が、前記固定ストラップの一部を該第1の滑り防止要素及び該第2の滑り防止要素と接触させた状態に配置することを含む、請求項40記載のゴルフバッグを搬送装置に固定する方法。
【請求項５２】
ゴルフバッグを搬送装置の支持部の上に配置する工程であって、該ゴルフバッグが、複数のゴルフクラブを収容するための主区画室を画定するゴルフバッグ本体部材と、フリップポケットと、該フリップポケットと該ゴルフバッグ本体部材とを係合させるための係合システムとを含み、該係合システムが、該フリップポケットの第1の部分と該ゴルフバッグ本体部材とを取り外し不能に係合させ、該係合システムによって、（a）該ゴルフバッグ本体部材の表面積の一部分が覆われた状態にある閉塞位置と（b）該ゴルフバッグ本体部材の表面積のその同じ部分が露出された状態にある開放位置との間を、該フリップポケットの第2の部分が該フリップポケットの該第1の部分に対して移動できるようになる、工程；
該フリップポケットを該開放位置に配置する工程；
固定ストラップを該ゴルフバッグ本体部材の少なくとも一部の周囲にわたって延在させる工程；
該固定ストラップを使用して該ゴルフバッグ本体部材を該搬送装置に固定する工程；及び
該固定ストラップを部分的に覆うように該フリップポケットを該閉塞位置へ移動させる工程
を含む、ゴルフバッグを搬送装置に固定する方法。
【請求項５３】
複数のゴルフクラブを収容するための主区画室を画定するゴルフバッグ本体部材であって、収容されるゴルフクラブシャフトを受けるための開口した第1の端部を有する上端部を含む、ゴルフバッグ本体部材；
該ゴルフバッグ本体部材の該上端部に設けられている仕切りであって、該ゴルフバッグ本体部材の該上端部及び該仕切りが、前後方向に延びている第1の軸に対して対称であり、且つ、該第1の軸に対して垂直であり且つ左右方向に延びている第2の軸に対して対称である、仕切り；並びに
該ゴルフバッグ本体部材と係合されているか又は該ゴルフバッグ本体部材の一部として一体形成されている第1の部分と、開放位置と閉塞位置との間を移動できる裏側部分とを含むフリップポケット
を含むゴルフバッグ。
【請求項５４】
前記フリップポケットが、（a）該フリップポケットの前記第1の部分から離間された場所にある第1の解放可能接続構造の第1の構成要素と、（b）該フリップポケットの該第1の部分から離間された場所にある第2の解放可能接続構造の第1の構成要素とを更に含み、且つ
前記ゴルフバッグ本体部材が、（a'）該ゴルフバッグ本体部材と係合されているか又は該ゴルフバッグ本体部材の一部として一体形成されている該第1の解放可能接続構造の第2の構成要素であって、該フリップポケットが前記閉塞位置にあるときに該第1の解放可能接続構造の該第1の構成要素と相互作用できるように該ゴルフバッグ本体部材の所定の場所に設けられている、第1の解放可能接続構造の第2の構成要素と、（b'）該ゴルフバッグ本体部材と係合されているか又は該ゴルフバッグ本体部材の一部として一体形成されている第2の解放可能接続構造の第2の構成要素であって、該フリップポケットが該閉塞位置にあるときに該第2の解放可能接続構造の該第1の構成要素と相互作用できるように該ゴルフバッグ本体部材の所定の場所に設けられている、第2の解放可能接続構造の第2の構成要素とを更に含む、請求項53記載のゴルフバッグ。
【請求項５５】
前記フリップポケットが、該フリップポケットの前記第1の部分から離間された場所にある解放可能接続構造の第1の構成要素を更に含み、且つ
前記ゴルフバッグ本体部材が、該ゴルフバッグ本体部材と係合されているか又は該ゴルフバッグ本体部材の一部として一体形成されている該解放可能接続構造の第2の構成要素を更に含み、該解放可能接続構造の該第2の構成要素が、該フリップポケットが前記閉塞位置にあるときに該解放可能接続構造の該第1の構成要素と相互作用できるように該ゴルフバッグ本体部材の所定の場所に設けられている、請求項53記載のゴルフバッグ。
【請求項５６】
前記解放可能接続構造の前記第1の構成要素が磁石を含み、該解放可能接続構造の前記第2の構成要素が磁石を含む、請求項55記載のゴルフバッグ。
【請求項５７】
前記解放可能接続構造の前記第1の構成要素が磁石を含み、該解放可能接続構造の前記第2の構成要素が、該磁石に引き付けられる金属材料を含む、請求項55記載のゴルフバッグ。
【請求項５８】
前記解放可能接続構造の前記第2の構成要素が磁石を含み、該解放可能接続構造の前記第1の構成要素が、該磁石に引き付けられる金属材料を含む、請求項55記載のゴルフバッグ。
【請求項５９】
前記解放可能接続構造が面ファスナーシステムを含む、請求項55記載のゴルフバッグ。
【請求項６０】
前記解放可能接続構造がスナップコネクタを含む、請求項55記載のゴルフバッグ。
【請求項６１】
前記解放可能接続構造が留め具コネクタを含む、請求項55記載のゴルフバッグ。
【請求項６２】
前記ゴルフバッグ本体部材と係合されているか又は該ゴルフバッグ本体部材の一部として一体形成されている第1の滑り防止要素を更に含み、該第1の滑り防止要素が、前記フリップポケットが前記閉塞位置にあるときに該フリップポケットによって少なくとも部分的に覆われるように所定位置に位置付けられている、請求項53記載のゴルフバッグ。
【請求項６３】
前記ゴルフバッグ本体部材と係合されているか又は該ゴルフバッグ本体部材の一部として一体形成されている第1の滑り防止要素を更に含み、該第1の滑り防止要素が、前記フリップポケットが前記閉塞位置にあるときに該フリップポケットによって完全に覆われるように寸法付けられており且つ所定位置に位置付けられている、請求項53記載のゴルフバッグ。
【請求項６４】
前記ゴルフバッグ本体部材と係合されているか又は該ゴルフバッグ本体部材の一部として一体形成されている第1の滑り防止要素であって、前記フリップポケットが前記閉塞位置にあるときに該フリップポケットによって少なくとも部分的に覆われるように所定位置に位置付けられている、第1の滑り防止要素；
該ゴルフバッグ本体部材と係合されているか又は該ゴルフバッグ本体部材の一部として一体形成されている第2の滑り防止要素であって、該フリップポケットの第1の側に位置付けられている、第2の滑り防止要素；及び
該ゴルフバッグ本体部材と係合されているか又は該ゴルフバッグ本体部材の一部として一体形成されている第3の滑り防止要素であって、該第1の側の反対側である該フリップポケットの第2の側に位置付けられている、第3の滑り防止要素
を更に含む、請求項53記載のゴルフバッグ。
【請求項６５】
前記フリップポケットが前記閉塞位置にあるときに前記第2の滑り防止要素が該フリップポケットにより覆われず、該フリップポケットが該閉塞位置にあるときに前記第3の滑り防止要素が該フリップポケットにより覆われない、請求項64記載のゴルフバッグ。
【請求項６６】
前記ゴルフバッグ本体部材の上端部及び前記仕切りが、前記第1の軸及び前記第2の軸と垂直であり且つ上下方向に延びている第3の軸に対して対称である、請求項53記載のゴルフバッグ。
【請求項６７】
前記ゴルフバッグ本体部材と係合されているか又は該ゴルフバッグ本体部材の一部として一体形成されている第1の滑り防止要素であって、前記フリップポケットが前記閉塞位置にあるときに該フリップポケットによって少なくとも部分的に覆われるように所定位置に位置付けられている、第1の滑り防止要素；及び
該ゴルフバッグ本体部材と係合されているか又は該ゴルフバッグ本体部材の一部として一体形成されている第2の滑り防止要素であって、該フリップポケットの第1の側に位置付けられている、第2の滑り防止要素
を更に含む、請求項53記載のゴルフバッグ。
【請求項６８】
前記第2の滑り防止要素が、前記フリップポケットが前記閉塞位置にあるときに該フリップポケットにより覆われない、請求項67記載のゴルフバッグ。
【請求項６９】
複数のゴルフクラブを収容するための主区画室を画定するゴルフバッグ本体部材であって、収容されるゴルフクラブシャフトを受けるための開口した第1の端部を有する上端部を含む、ゴルフバッグ本体部材；
該ゴルフバッグ本体部材の該上端部に設けられている仕切りであって、該仕切りの外周が、前後方向に延びている第1の軸に対して対称であり、且つ、該第1の軸に対して垂直であり且つ左右方向に延びている第2の軸に対して対称である、仕切り；
該ゴルフバッグ本体部材と係合されているか又は該ゴルフバッグ本体部材の一部として一体形成されている上端部と、係合位置と離脱位置との間を移動できる裏側部分とを含むフリップポケット；
該フリップポケットを該係合位置で解放可能に保持するための解放可能コネクタシステムであって、（a）該フリップポケットの該上端部よりも該フリップポケットの下端部の近くで該フリップポケットと係合されている第1の構成要素と、（b）該フリップポケットが該係合位置にあるときに該第1の構成要素と相互作用できるように所定の場所で該ゴルフバッグ本体部材と係合されている第2の構成要素とを含む、解放可能コネクタシステム；及び
該ゴルフバッグ本体部材と係合されているか又は該ゴルフバッグ本体部材の一部として一体形成されている第1の滑り防止要素であって、該フリップポケットが該係合位置にあるときに該フリップポケットにより少なくとも部分的に覆われるように所定位置に位置付けられている、第1の滑り防止要素
を含むゴルフバッグ。
【請求項７０】
前記第1の滑り防止要素が、前記フリップポケットが前記係合位置にあるときに該フリップポケットにより完全に覆われるように寸法付けられており且つ位置付けられている、請求項69記載のゴルフバッグ。
【請求項７１】
前記ゴルフバッグ本体部材と係合されているか又は該ゴルフバッグ本体部材の一部として一体形成されている第2の滑り防止要素を更に含む、請求項69記載のゴルフバッグ。
【請求項７２】
前記第2の滑り防止要素が前記フリップポケットの第1の側に位置付けられている、請求項71記載のゴルフバッグ。
【請求項７３】
前記第2の滑り防止要素が、前記フリップポケットが前記係合位置にあるときに該フリップポケットにより覆われない、請求項71記載のゴルフバッグ。
【請求項７４】
前記ゴルフバッグ本体部材と係合されているか又は該ゴルフバッグ本体部材の一部として一体形成されており、且つ前記フリップポケットの第1の側に位置付けられている第2の滑り防止要素；及び
該ゴルフバッグ本体部材と係合されているか又は該ゴルフバッグ本体部材の一部として一体形成されており、且つ該第1の側の反対側である該フリップポケットの第2の側に位置付けられている第3の滑り防止要素
を更に含む、請求項69記載のゴルフバッグ。
【請求項７５】
前記フリップポケットが前記係合位置にあるときに前記第2の滑り防止要素が該フリップポケットにより覆われず、該フリップポケットが該係合位置にあるときに前記第3の滑り防止要素が該フリップポケットにより覆われない、請求項74記載のゴルフバッグ。
【請求項７６】
複数のゴルフクラブを収容するための主区画室を画定するゴルフバッグ本体部材であって、収容されるゴルフクラブシャフトを受けるための開口した第1の端部を有する上端部を含む、ゴルフバッグ本体部材；
該ゴルフバッグ本体部材の該上端部に設けられている仕切りであって、該仕切りの外周が、前後方向に延びている第1の軸に対して対称であり、且つ、該第1の軸に対して垂直であり且つ左右方向に延びている第2の軸に対して対称である、仕切り；及び
該ゴルフバッグ本体部材と係合されているか又は該ゴルフバッグ本体部材の一部として一体形成されている第1の部分と、開放位置と閉塞位置との間を移動できる裏側部分とを含むフリップポケット
を含むゴルフバッグ。
【請求項７７】
前記仕切りが、前記第1の軸及び前記第2の軸に対して垂直であり且つ上下方向に延びている第3の軸に対して対称である、請求項76記載のゴルフバッグ。
【発明の詳細な説明】
【技術分野】
【０００１】
関連出願データ
本出願は、（a）Heather L. Herron, Jeffrey W. Wear及びPierre A. Pactanaの名において2011年6月24日に出願された「Golf Bags Having a Flip Pocket and/or a Symmetric Club Separator」と題された米国特許出願第13/168,442号、及び、（b）Heather L. Herron, Jeffrey W. Wear及びPierre A. Pactanacの名において2011年6月24日に出願された「Golf Bags Having a Flip Pocket and/or a Symmetric Club Separator」と題された米国特許出願第13/168,448号に基づく優先権の恩恵を主張する。これら2つの出願は全体が参照により本明細書に組み入れられる。
【０００２】
発明の分野
本発明は全般的にゴルフバッグに関する。本発明の少なくとも幾つかの例に係るゴルフバッグは、ゴルフバッグを搬送装置に、より良く固定でき且つ/又はより便利な製造を可能にするための構造を含む。
【背景技術】
【０００３】
発明の背景
今日、ゴルフスポーツは世界中で非常に人気がある。ゴルフコース上の場合でもゴルフコースから離れている場合でもゴルフクラブを運ぶために使用される器具を含めて、ゲームのほぼ全ての局面が、技術革新により度々改善されてきた。かつて重い布地とスチールロッドとから作製されたゴルフバッグは、より軽量で更に耐久性がある複合材、金属、プラスチック、及び他の材料から作製されるバッグに取って代わられた。
【０００４】
多くのゴルファーは、プレイするために、手動式ゴルフカート（例えば、ユーザ推進式の押し引きカート）又は自動推進式カート（例えば、電動ゴルフカート、任意で一人又は複数人のゴルファーが乗車可能なカート）などの搬送装置に自分達のゴルフバッグを取り付ける。一般に、ゴルフバッグは固定ストラップを使用してこれらの搬送装置に固定され、固定ストラップは、バッグを搬送装置に対して所定位置に保持するために少なくとも一部がゴルフバッグの周囲において延在する。固定ストラップは、通常、バッグが（例えば、坂の上にあるとき、急発進又は急停止時などに）搬送装置からふり落とされるのを防止するのに役立つように、バッグの上部の方（バッグの重心よりも十分に上側）に接触する。
【０００５】
また、従来のゴルフバッグは、多くの場合、様々な物品やゴルフ付属品を内部に収容できる1つ又は複数のポケット又は区画室を含む。例えば、ゴルフボール、ゴルフティー、タオル、ボールマーカー、雨具等を収容するために、ポケットが設けられることが多い。ゴルフバッグのサイズ及びゴルフバッグの必要な携帯性に起因して、ポケットを含むための領域が幾らか制限される。前述したように、ゴルフバッグの上部は、しばしば、搬送装置の固定ストラップと係合する必要があるため、多くのゴルフバッグの上部中央領域はポケットを含まない。これは、その場所のポケットが、一般に、固定ストラップがバッグの周囲に係合されるときに押し潰され、それにより、バッグの中身が押し潰されて場合によっては破損し、且つ/又は、ポケットへのアクセスが制限されるからである。したがって、ポケットは、一般に、ゴルフバッグ構造の下側部分及びゴルフバッグ構造の側部に設けられる。下方のポケットの場合、該ポケット内に収納される物品にアクセスするために、ユーザは繰り返ししゃがまなければならない。また、側部に取り付けられたポケットも、例えば、特に、2つのゴルフバッグが単一の搬送装置上に互いに近接して取り付けられるときに又は搬送装置の側面がポケットに近接するときに、アクセスするのが難しい可能性がある。
【０００６】
全ての搬送装置がゴルフバッグを同じ方向で保持するとは限らない。一部の搬送装置（又は搬送技術）は、クラブをバッグに対して（重力下で）一つの方向に傾かせる場合があり、一方、他の搬送装置（又は搬送技術）は、クラブをバッグに対して（重力下で）別の方向（しばしば反対方向）に傾かせる場合がある。バッグが使用されているときに長いシャフトを有するクラブ（例えばウッド）が、短いシャフトを有するクラブ（例えば、アイアン）よりも「低い位置」でゴルフバッグ内に配置される場合には、短いクラブのヘッドが長いクラブのシャフトとぶつかってシャフトを破損させる可能性がある（例えば、シャフトを脆弱化させる場合がある構造的なダメージ、及び/又は、引っかき傷、凹みなどの審美的な損傷を含む）。
【０００７】
多くのゴルフバッグは、ドライバー、パターなどの特定のクラブを収容するように特に仕立てられた場所又は区画室を伴うクラブ仕切り又はセパレータを有する。そのようなバッグにおいて、ドライバー用の区画室が特定の搬送装置又は搬送技術に対してバッグの「低い側」に位置付けられている場合には、これにより、アイアンのヘッドがドライバーシャフトとぶつかることに起因して、ドライバーシャフトが破損する危険がある。この問題に対処しようとして、バッグは、2つの形式、例えば、特別な区画室（例えばドライバー又はパターのための区画室）がバッグの第1の側に位置付けられている1つの形式（クラブが一方向に傾く搬送装置又は搬送技術に関して）と、これらの同じ特別な区画室（例えばドライバー又はパターのための区画室）がバッグの反対側に位置付けられている別の形式（クラブが反対方向に傾く搬送装置又は搬送技術に関して）とをとる場合がある。これらの「措置」は、クラブ仕切りがバッグ本体内に一方向でのみ嵌合し、それにより、より多くの製造制御を必要とする（組み立て中に部品の適切な方向を確保するため）及び/又は多量のバッグ部品在庫を必要とする（製造メーカーが両方の形式のバッグを作製できるようにするため）ことから、製造コスト及び複雑さを増大させる。また、製造メーカーは、特定の場所又は市場（例えば、一方のタイプの搬送装置若しくは搬送技術又は他方のタイプの搬送装置若しくは搬送技術を有する場所又は市場）に合わせて特定のバッグ形式をターゲットにする必要があるかもしれない。
【０００８】
したがって、少なくとも前述した様々な領域でゴルフバッグ技術を改良する余地がある。
【発明の概要】
【０００９】
以下は、本発明の幾つかの局面を基本的に理解できるように、本発明の簡略化された概要を示す。この概要は、本発明の広範な要約ではない。この概要は、本発明の重要な又は重大な要素を特定しようとするものではなく、本発明の範囲を線引きしようとするものでもない。以下の概要は、単に、本発明の幾つかの特徴及び局面を以下の詳細な説明の前置きとして概略的形式で示すにすぎない。
【００１０】
本発明の局面は、（例えば、ゴルフコース上、移動中などにおいて）複数のゴルフクラブを運び且つ/又は収納するためのゴルフバッグに関する。本発明の少なくとも幾つかの例に係るゴルフバッグは、複数のゴルフクラブを収容するための主区画室を画定する容器であって、収容されるゴルフクラブシャフトを受けるための開口した第1の端部を有する上端部を含む、容器と、（例えば、容器の上端部に近接して位置付けられている）容器と取り外し不能に係合されているか又は容器の一部として一体形成されている第1の部分、及び、容器と取り外し不能に係合されていること又は容器の一部として一体形成されていることはない第2の部分を含むフリップポケットであって、フリップポケットの第2の部分が閉塞位置又は係合位置と開放位置又は離脱位置との間を移動できる、フリップポケットとを含んでもよい。本発明の少なくとも幾つかの例に係るゴルフバッグは、（a）フリップポケットを閉塞位置若しくは係合位置に解放可能に保持するための解放可能コネクタシステム、（b）ゴルフバッグ本体部材と係合されているか若しくはゴルフバッグ本体部材の一部として一体形成されており、任意で、フリップポケットが閉塞位置若しくは係合位置にあるときに少なくとも部分的にフリップポケットの後ろに位置付けられる滑り防止要素、及び/又は、（c）例えばゴルフクラブがゴルフバッグの主区画室内に収納されるときに、それらを互いから分離して保つのに役立つべく容器の上端部に設けられる仕切り、のうちの1つ或いは複数を更に含んでもよい。任意で、仕切りの少なくとも外周は、（a）前後方向に延びている第1の軸に対して対称であってもよく、（b）左右方向に延びている第2の軸に対して対称であってもよく、且つ/又は、（c）上下方向に延びている第3の軸に対して対称であってもよい（例えば図示されているようにゴルフバッグが直立態様で方向付けられるとき）。外周の内側に複数のクラブ受け入れ空間を画定するように、仕切りの外周の内側の1つ又は複数のセパレータパネルが配置されてもよく、また、必要に応じて、クラブ受け入れ空間は、前述した軸のうちの1つ又は複数に対して対称となるように配置されてもよい。
【００１１】
本発明の更なる局面は、例えば前述した様々なタイプのゴルフバッグを作製する方法、及び、そのようなゴルフバッグを使用する（例えば、それらのゴルフバッグを搬送装置に固定する）方法に関する。
【図面の簡単な説明】
【００１２】
本発明のより完全な理解、及び、本発明の少なくとも幾つかの利点は、添付図面を考慮して以下の説明を参照することにより得ることができ、図中、同様の符番は同様の特徴を示している。
【００１３】
【図１Ａ】図1Aおよび1Bは、本発明の1つの例に係るゴルフバッグ構造を示す。
【図１Ｂ】図1Aおよび1Bは、本発明の1つの例に係るゴルフバッグ構造を示す。
【図２Ａ】図2Aおよび2Bは、本発明の少なくとも幾つかの例に係るゴルフバッグ構造の更に詳しい潜在的特徴を示す。
【図２Ｂ】図2Aおよび2Bは、本発明の少なくとも幾つかの例に係るゴルフバッグ構造の更に詳しい潜在的特徴を示す。
【図３Ａ】図3A〜3Cは、搬送装置、例えば押しカート又は自動推進式ゴルフカートなどの支持構造に対する本発明の例に係るゴルフバッグの取り付けの様々な特徴を示す。
【図３Ｂ】図3A〜3Cは、搬送装置、例えば押しカート又は自動推進式ゴルフカートなどの支持構造に対する本発明の例に係るゴルフバッグの取り付けの様々な特徴を示す。
【図３Ｃ】図3A〜3Cは、搬送装置、例えば押しカート又は自動推進式ゴルフカートなどの支持構造に対する本発明の例に係るゴルフバッグの取り付けの様々な特徴を示す。
【図４】図4〜8は、本発明の少なくとも幾つかの例に係るゴルフバッグ構造における更なる潜在的特徴及びオプションを示す。
【図５】図4〜8は、本発明の少なくとも幾つかの例に係るゴルフバッグ構造における更なる潜在的特徴及びオプションを示す。
【図６】図4〜8は、本発明の少なくとも幾つかの例に係るゴルフバッグ構造における更なる潜在的特徴及びオプションを示す。
【図７】図4〜8は、本発明の少なくとも幾つかの例に係るゴルフバッグ構造における更なる潜在的特徴及びオプションを示す。
【図８】図4〜8は、本発明の少なくとも幾つかの例に係るゴルフバッグ構造における更なる潜在的特徴及びオプションを示す。
【図９Ａ】図9A〜9Cは、本発明に係るゴルフバッグ構造の更なる潜在的且つ/又は代替的な特徴を示す。
【図９Ｂ】図9A〜9Cは、本発明に係るゴルフバッグ構造の更なる潜在的且つ/又は代替的な特徴を示す。
【図９Ｃ】図9A〜9Cは、本発明に係るゴルフバッグ構造の更なる潜在的且つ/又は代替的な特徴を示す。
【発明を実施するための形態】
【００１４】
発明の詳細な説明
本発明の様々な例の以下の説明では、説明の一部を成し且つ本発明の局面が実施されてもよい構造及び環境の様々な例が例示として示されている添付図面を参照する。言うまでもなく、他の構造及び環境が利用されてもよく、また、本発明の範囲から逸脱することなく、構造的及び機能的な変更が、具体的に記載される構造からなされてもよい。
【００１５】
I.本発明の局面の概要
本発明の局面は、（例えば、ゴルフコース上、移動中などにおいて）複数のゴルフクラブを運び且つ/又は収納するためのゴルフバッグに関する。より具体的には、本発明の少なくとも幾つかの例に係るゴルフバッグは、（a）複数のゴルフクラブを収容するための主区画室を画定するゴルフバッグ本体部材であって、収容されるゴルフクラブシャフトを受けるための開口した第1の端部を含む、ゴルフバッグ本体部材と、（b）フリップポケットと、（c）フリップポケットをゴルフバッグ本体部材と係合させるための係合システムとを含んでもよい。この係合システムは、フリップポケットの第1の部分とゴルフバッグ本体部材とを取り外し不能に係合させてもよく、この場合、フリップポケットの第2の部分はゴルフバッグ本体部材に対して移動できる。また、この係合システムは、（a）ゴルフバッグ本体部材の表面積の一部分が覆われた状態にある閉塞位置と（b）ゴルフバッグ本体部材の表面積のその同じ部分が露出された状態にある開放位置との間をフリップポケットの第2の部分がフリップポケットの第1の部分に対して移動できるようにする。
【００１６】
本発明の他の例に係るゴルフバッグは、（a）複数のゴルフクラブを収容するための主区画室を画定するゴルフバッグ本体部材であって、収容されるゴルフクラブシャフトを受けるための開口した第1の端部を含む、ゴルフバッグ本体部材と、（b）ゴルフバッグ本体部材と取り外し不能に係合されているか又はゴルフバッグ本体部材の一部として一体形成されている第1の部分を有するポケットであって、該ポケットが、該ポケットの第1の部分から離間された場所にある解放可能接続構造の第1の部分を含むポケットと、（c）ゴルフバッグ本体部材と係合されているか又はゴルフバッグ本体部材の一部として一体形成されている解放可能接続構造の第2の部分であって、ポケットの第2の部分とゴルフバッグ本体部材とを解放可能に係合させるべくポケットに設けられている解放可能接続構造の第1の部分と相互作用できるようにゴルフバッグ本体部材の所定の場所に設けられている、解放可能接続構造の第2の部分とを含んでもよい。
【００１７】
本発明の更なる局面は、例えば、（a）複数のゴルフクラブを収容するための主区画室を画定する容器であって、収容されるゴルフクラブシャフトを受けるための開口した第1の端部を有する上端部を含む、容器と、（b）（任意で容器の上端部に近接して）容器と取り外し不能に係合されているか又は容器の一部として一体形成されている第1の（例えば上端）部分と、容器と取り外し不能には係合されておらず且つ前記容器の一部として一体形成されてはいない第2の（例えば下端）部分とを含むフリップポケットであって、係合位置と離脱位置との間を移動できる、フリップポケットと、（c）フリップポケットを係合位置に解放可能に保持するための解放可能コネクタシステムであって、（a）フリップポケットの第1の部分よりもフリップポケットの第2の部分の近くでフリップポケットと係合されているか又はフリップポケットの一部として一体形成されている第1の構成要素と、（b）フリップポケットが係合位置にあるときに第1の構成要素と相互作用できるように所定の場所で容器と係合されているか又は容器の一部として一体形成されている第2の構成要素とを含む、解放可能コネクタシステムとを含むゴルフバッグに関する。
【００１８】
本発明の幾つかの更なる局面において、ゴルフバッグは、任意で、ゴルフバッグ本体部材と係合されているか又はゴルフバッグ本体部材の一部として一体形成されている第1の滑り防止要素を含んでもよい。この第1の滑り防止要素は、フリップポケットがその係合位置又は閉塞位置にあるときにフリップポケットが第1の滑り防止要素を少なくとも部分的に覆う（幾つかの例では完全に覆う）ようにフリップポケットの後ろに位置付けられてもよい。フリップポケットの裏面及び第1の滑り防止要素の主面は、ポケットが係合位置又は閉塞位置にあるときにゴルフバッグ本体部材を搬送装置に固定するためのストラップの両側と接触するように配置されてもよい。第1の滑り防止要素は、ゴルフバッグが搬送装置（例えば、手動牽引カート又は手動押圧カート、電動カートなど）によって搬送されているときにゴルフバッグが回転又はねじれを起こしにくいようにストラップをゴルフバッグに対して所定位置に保持するのに役立つ。本明細書中で使用される用語「滑り防止要素」は、固定ストラップ構造に対するゴルフバッグの対象領域の摩擦係数を（ゴルフバッグ構造の他の領域と比べて）増大させ、それにより固定ストラップ（例えばゴルフバッグを搬送装置に固定するストラップ）と係合するための所定の場所を与える任意の構造又は他の特徴を意味する。「滑り防止要素」は、別個の構造的な構成要素（例えば、ゴルフバッグ本体部材と係合されている構成要素）や、ゴルフバッグ本体部材表面の対象部分に対する表面処理（例えば、粘着性コーティング又はスプレー）などを含んでもよい。幾つかの例において、滑り防止要素は、例えば比較的軟らかい表面を有するゴム又はポリウレタン材料である。他の例において、滑り防止要素は、例えば面ファスナーのように、ストラップを物理的に保持してもよい。
【００１９】
必要に応じて、例えばゴルフバッグ本体部材又は他の容器の側面の方々に、更なる滑り防止要素が設けられてもよい。任意で、これらの更なる滑り防止要素は、フリップポケットが係合位置にあろうが離脱位置にあろうが、露出されたまま又は部分的に露出されたままであってもよい。
【００２０】
フリップポケットとゴルフバッグ本体部材又は他の容器との間の取り外し不能な接続は、本発明から逸脱することなく、取り外し不能な係合構造を含む任意の所望の態様で、又は、ポケットをゴルフバッグ本体部材若しくは容器の材料と一体に形成することにより達成されてもよい。幾つかの更に特定の例として、フリップポケットの上端部がゴルフバッグ本体部材又は容器に縫い付けられてもよく、また、フリップポケットの上端部は、セメント、接着剤、リベットなどによってゴルフバッグ本体部材又は容器と係合されてもよい。「取り外し不能な」係合は、その用語が本明細書中で使用される場合には、通常の使用中に分離しないようになっており、接続を破壊しなければユーザにより容易には離脱されない態様で係合されることを意味する。
【００２１】
前述したように、フリップポケットの一部は、フリップポケットをゴルフバッグ本体部材に対して移動させることができるが依然としてフリップポケットがゴルフバッグ本体部材に接続されたままであるように、ゴルフバッグ本体部材又は他の容器と解放可能に係合されてもよい。そのような解放可能な係合は、例えば、互いに係合する2つ以上の磁石、磁石に引き付けられる金属材料と係合する1つ（又は複数）の磁石、面ファスナーシステム、スナップコネクタ、他の機械的な留め具コネクタ（例えば、ゴルフバッグや幼児用シートなどで従来から見出されるタイプのもの）などを含んでもよい。
【００２２】
本発明の更なる付加的な局面は、例えばゴルフクラブがゴルフバッグの主区画室内に収納されるときにそれらを互いから分離して保つのに役立つべく、ゴルフバッグ本体部材の上端部に設けられる仕切りの特徴に関する。そのような仕切りは、ゴルフバッグ本体部材と係合される別個の構成要素であってもよく、あるいは、ゴルフバッグ本体部材と（少なくとも一部が）一体に形成されてもよい。任意で、ゴルフバッグ本体部材の上端部の外周及び/又は仕切りの外周は、前後方向に延びている第1の軸に対して対称であり、第1の軸と垂直であり且つ左右に延びている第2の軸に対して対称である。更にまた、必要に応じて、ゴルフバッグ本体部材の上端部の外周及び/又は仕切りの外周は、第1及び第2の軸と垂直であり且つ上下に延びている第3の軸に対して対称であってもよい（例えば図示のようにゴルフバッグが直立態様で方向付けられるとき）。仕切りの外周又はゴルフバッグの上端部の外周の内側に設けられている任意のセパレータ構造又はパネルは、複数のクラブ受け入れ空間を外周の内側に画定してもよく、また、必要に応じて、クラブ受け入れ空間は、前述した軸のうちの1つ又は複数に対して対称となるように配置されてもよい。これらの対称特徴は、仕切りを2つの向きのいずれかでゴルフバッグに取り付けることができるという点において、本発明の例に係るゴルフバッグ構造の様々な製造局面を容易にする。また、これらの特徴は、様々な異なる市場を対象にするバッグに関して同じゴルフバッグ本体部材及び仕切り部品を使用できるようにする。
【００２３】
本発明の更なる局面は、例えば前述した様々なタイプのゴルフバッグを作製する方法に関する。そのような方法は、例えば、（a）ポケットの第1の部分をゴルフバッグ本体部材と（例えば、縫合によって、セメント又は接着剤によって、他の融合技術によって、など）取り外し不能に係合させること、（b）解放可能接続構造の第1の部分をポケットと係合させること、及び、（c）解放可能接続構造の第2の部分をゴルフバッグ本体部材と係合させることのうちの1つ又は複数を含んでもよい。解放可能接続構造の第1の部分及び解放可能接続構造の第2の部分は、解放可能接続構造の第1の部分が解放可能接続構造の第2の部分と係合できるように、ポケット及びゴルフバッグ本体部材のそれぞれの場所で係合され、また、その場合、ポケットは、係合位置若しくは状態又は下方位置若しくは状態と、離脱位置若しくは状態又はめくり上げ位置若しくは状態との間を選択的に変換できる。しかしながら、離脱状態であっても、ポケットは、ポケットの第1の部分でゴルフバッグ本体部材と取り外し不能に係合されたままである。これらの特徴は、ポケットをゴルフバッグと共に維持するべくポケットの望ましくない紛失及び/又は不慮の破損を防止するのに役立つ。
【００２４】
本発明の更なる付加的な局面は、ゴルフカート（手動カート又は電動カート）などの搬送装置にゴルフバッグを固定する方法に関する。そのような方法は、例えば、
（a）ゴルフバッグを搬送装置の支持部の上に配置する工程であって、ゴルフバッグが、（i）複数のゴルフクラブを収容するための主区画室を画定するゴルフバッグ本体部材、及び、（ii）ゴルフバッグ本体部材と取り外し不能に係合されているか又はゴルフバッグ本体部材の一部として一体形成されている第1の部分を有するポケット、などの前述した構造又は特徴のうちのいずれかを含んでもよい工程。このポケットは、該ポケットの第1の部分から離間された場所にある解放可能接続構造の第1の部分を含んでもよく、また、解放可能接続構造の第2の部分は、ゴルフバッグ本体部材と係合されているか又はゴルフバッグ本体部材の一部として一体形成されていてもよい。ポケットは係合位置とめくり上げ位置との間を選択的に移動できる；
（b）ポケットをめくり上げ位置に配置する工程；
（c）固定ストラップをゴルフバッグ本体部材の少なくとも一部の周囲にわたって延在させる工程；
（d）固定ストラップを使用してゴルフバッグ本体部材を搬送装置に固定する工程；
（e）固定ストラップを部分的に覆うようにポケットを係合位置へ移動させる工程；及び
（f）ポケットを係合位置で解放可能に保持するために、（例えば、前述した解放可能な接続システム又は構造のうちのいずれかを使用して）解放可能接続構造の第1の部分と解放可能接続構造の第2の部分とを解放可能に係合させる工程
のうちの1つ又は複数を含んでもよい。
そのような方法は、固定ストラップの一部を（例えば、めくり上げポケットの下側で、ポケットと並行して、など）ゴルフバッグに設けられる滑り防止要素と接触する状態に配置することを更に含んでもよい。固定ストラップは、ポケットがその下方位置又は係合位置にあるときにポケットの裏面と滑り防止要素の主面との間に挟まれてもよい。
【００２５】
本発明に係る特徴、局面、構造、及び、配置のこの概要を前提として、本発明に係るゴルフバッグ構造の特定の例の更に詳しい説明は以下の通りである。
【００２６】
II.本発明に係るゴルフバッグ構造の例の詳細な説明
以下、本発明に係るゴルフバッグ構造の特定の例について更に詳しく説明する。しかしながら、読者は、これらの特定の例が本発明の例を例示するためだけに記載されることを理解すべきであり、また、それらの例は本発明を限定すると解釈されるべきではない。
【００２７】
図1A及び図1Bは、本発明に係るゴルフバッグ100の1つの例の正面図及び側面図をそれぞれ示す。ゴルフバッグ100は、バッグ100内に収納されるゴルフクラブシャフトを受けるための主区画室へのアクセスを与える開口した上端部104を画定するゴルフバッグ本体部材102を含む。ゴルフバッグ本体部材102は、本発明から逸脱することなく、当技術分野において使用される公知の従来の構成を含む任意の所望の構成を有してもよい。ゴルフバッグ本体部材102は、当技術分野において使用されるような公知の従来の部品及び材料を用いる従来の方法を含む任意の様々な方法で互いに適合する1つ又は複数の部品及び材料から作製されてもよい。
【００２８】
この図示された例において、ゴルフバッグ本体部材102は、バッグの方々に配置された数々のポケット106A,106B,106C,106Dを含む。本発明から逸脱することなく、任意の数のポケットが設けられてもよく、また、これらのポケットは、本発明から逸脱することなく、任意の所望のタイプの構成、サイズ、閉塞システム（例えば、ジッパー、面ファスナー、スナップなど）などを有してもよい。要件ではないが、図1A及び図1Bは、例えば、パター、傘、ボールレトリーバーなどを収納するための所定の収納スポットを与える開口した区画室108をポケット106Bが含むことを示している。ゴルフバッグがそのような区画室108を含むための構造（又は、他の所定の収納構造）は、当技術分野において公知の従来と同様のものであってもよい。本発明から逸脱することなく、任意の数のそのような所定の収納構造又は区画室108がゴルフバッグ100に設けられてもよい。
【００２９】
図1A及び図1Bは、本発明の少なくとも幾つかの例に係るゴルフバッグ100に設けられてもよい更なる構造を示している。ゴルフバッグは、ストラップにより固定される場合であっても、搬送装置（電動式又はユーザ推進式のゴルフカートなど）に取り付けられると、ねじれて回転しやすく、それにより、ポケット106A〜106D及び/又はバッグ100の主区画室内の特定のクラブにアクセスすることが難しくなる。また、このねじれにより、バッグ100が搬送装置から放り出されるおそれがあり、且つ/又は、中身がポケット106A〜106D若しくは主区画室から放り出されるおそれがある。したがって、本発明の少なくとも幾つかの例に係るゴルフバッグ構造100は1つ又は複数の滑り防止要素を含む。2つの滑り防止要素112A及び112Bが図1Aに示され、各滑り防止要素は、バッグの重心よりも十分上側で、バッグ100の上端部の方に位置付けられている。滑り防止要素112A及び112Bは、バッグ100を搬送装置に固定するために使用されるストラップの材料に対してバッグ表面の摩擦係数を（主なバッグ表面と比べて）増大させる。本発明から逸脱することなく、任意の所望のタイプの摩擦係数増大材料又は他の構造が滑り防止要素として使用されてもよいが、図示のバッグ構成100の例では、滑り防止要素112A及び112Bがベース部材114を含み、該ベース部材114上に1つ又は複数のポリウレタンパッド又はパネル116が（例えば、セメント又は接着剤によって、機械的なコネクタによって、縫い目によって等）取り付けられている。ポリウレタンパネル116の表面は、摩擦係数の増大をもたらして、ストラップがバッグ外面に対して滑るのを防止するのに役立つ。ベース部材114は、セメント又は接着剤、機械的なコネクタ、縫い目などの使用によるなど、任意の所望の態様で、ゴルフバッグ本体部材102と係合（又は、ゴルフバッグ本体部材の一部として一体形成）されてもよい。ポリウレタンパネル116は、任意の所望のサイズ、形状、方向性、又は、編成（例えば、デザイン、パターン、ロゴなどへの編成）を有してもよく、また、本発明から逸脱することなく、任意の所望の数で存在してもよい。
【００３０】
図1A及び図1Bは、図示した2つの滑り防止要素112A及び112Bの間において、バッグ100の上端部の方（直立位置に配置された場合にバッグの重心よりも上側）に位置付けられている他のポケット120を示している。このポケット120は、本発明から逸脱することなく、任意の所望のサイズ、形状、構成、閉塞機構などを有してもよい。例えば、ポケット120（及び、他のポケット116A〜116Dのうちの1つ又は複数）は、本発明から逸脱することなく、防水、絶縁、ロック可能、伸縮可能、膨張可能等であってもよい。以下、図2A及び図2Bと併せて、本発明の少なくとも幾つかの例に係るこのポケット120の更なる潜在的特徴について論じる。
【００３１】
図2A及び図2Bに示されているポケット120は「フリップポケット」であり、このことは、該ポケット120を、係合位置、引下げ位置、閉塞位置、又は、下方位置（図2A及び2Bのうちの左側に示されている位置）と、離脱位置、めくり上げ位置、開放位置、又は、上方位置（図2A及び2Bのうちの右側に示されている位置）との間を移動させる（例えば、めくる、回転させる、など）ことができることを意味する。本明細書中で使用される用語「係合位置」、「引下げ位置」、「閉塞位置」、及び/又は、「下方位置」は、ポケット120と関連する任意の固定システム（以下で更に詳しく説明する）がたとえあったとしても係合されなければならないことを要せず、単に、そのような係合が可能な位置にフリップポケット120が位置付けられていること、及び/又は、フリップポケット120がその裏面をゴルフバッグ本体に対向させた状態で位置付けられていることだけを必要とする。同様に、本明細書中で使用される用語「離脱位置」、「めくり上げ位置」、「開放位置」、及び/又は、「上方位置」は、フリップポケット120がその最大回転位置又は最大上方位置に位置付けられていることを要さない。むしろ、これらの用語は、単に、フリップポケット120が固定システム（もしあれば）により係合されないこと及びそのような係合が不可能な位置へフリップポケット120が移動されること、並びに/又は、フリップポケット120がその裏面の少なくとも一部をゴルフバッグ本体から離間させた状態で位置付けられていることを意味するにすぎない。これらの図に示されているように、フリップポケット120の裏面128は、ゴルフバッグ本体部材102と、その全周にわたって取り外し不能には係合されていない。本発明のこの例に係るフリップポケット120は、ゴルフバッグが搬送装置に固定されるときに固定ストラップによってポケットが押し潰されやすいためにそのようなポケットが一般に設けられない場所で、ゴルフバッグ100の上側中央部に更なる収納能力を与える。
【００３２】
ここで、フリップポケット120とゴルフバッグ本体部材102との係合の例について更に詳しく説明する。本発明に係るゴルフバッグ構造100の幾つかの例において、フリップポケット120の一端(例えば、上縁)は、ゴルフバッグ本体部材102と取り外し不能に係合されている。この取り外し不能な係合は、本発明から逸脱することなく、当技術分野において使用されるような公知のゴルフバッグにポケットを設けるための従来の態様を含む任意の所望の態様で行なわれてもよい。構造100のこの図示された例において、フリップポケット120は、1つ又は複数の縫い目122によってゴルフバッグ本体部材102と係合されている。また、図2A及び図2Bに示されているように、フリップポケット120が重力下で係合位置又は閉塞位置へ向けて垂れ下がるように、フリップポケット120の上端部において取り外し不能な係合がなされていることが好ましい。しかしながら、例えば、フリップポケット120が重力下で離脱位置又は開放位置へと移動する配置（例えば、取り外し不能な係合がフリップポケット120の下端へと設けられる場合）など、他の配置も可能である。
【００３３】
本発明から逸脱することなく、フリップポケット120の一部をゴルフバッグ本体部材102と取り外し不能に係合する他の方法も可能である。例えば、必要に応じて、フリップポケット120が、リベット、ネジ、ボルト、1つ若しくは複数のヒンジ、又は、他の取り外し不能な機械的コネクタによりゴルフバッグ本体部材102の何らかの部分に保持されてもよい。フリップポケット120の一部をゴルフバッグ本体部材102と取り外し不能に接続するために、セメント又は接着剤が使用されてもよい。更なる別の例として、必要に応じて、フリップポケット120の一部は、ゴルフバッグ本体部材102の一部と単一の一体部品構成として一体に形成されてもよい。
【００３４】
好ましくはないが、本発明の幾つかの局面に係る幾つかの例示的構造では、必要に応じて、取り外し不能な接続が解放可能な接続と置き換えられてもよい。そのような構造では、フリップポケット120をゴルフバッグ本体部材102から完全に取り外すことができる。望まれる場合は可能ではあるが、そのような構造は好ましくない。この構造により、フリップポケット120を紛失し又はフリップポケット120を誤った場所に配置する危険があり、フリップポケット120を伴わずにゴルフコースに到着する（又は帰宅する）という望ましくない結果を潜在的に伴う（フリップポケット120のそのような紛失又は誤配置と関連する不都合を伴う）からである。必要に応じて、そのような解放可能なフリップポケット120が設けられるときには、フリップポケット120の完全な離脱を少なくとも妨げるために（それにより、フリップポケット120の望ましくない紛失又は誤配置を防止する又は減らすために）、フリップポケット120の接続部のある部分をゴルフバッグ本体部材102から離脱させることが更に困難であってもよい。幾つかの更に特別な例として、そのようなフリップポケットの上端部での解放可能な接続は、1つ又は複数のジッパー、1つ又は複数の機械的な留め具などによって係合されてもよい。本発明のこの局面に係る「フリップポケット」は、完全に取り外すことができる場合であっても、例えば以下で更に詳しく説明する態様で、係合位置と離脱位置との間を移動できる。必要に応じて、前述したタイプの完全に取り外しできるポケットは、該ポケットをバッグの別の部分又は（プレーヤーのベルト又はベルト通しなどの）何らかの他の装置と係合させることができるようにするために留め具、クリップ、又は、クランプを含んでもよい。
【００３５】
図2A及び図2Bは、本発明の少なくとも幾つかの例に係るゴルフバッグ構造100に含まれてもよい更なる潜在的特徴を示している。例えば、図2A及び図2Bは、ゴルフバッグ本体部材102及びフリップポケット120がフリップポケット120を係合位置に維持するのに役立つ（例えば、フリップポケット120を係合状態に維持するのに役立つ）1つ又は複数の固定機構を備えてもよいことを示している。図2A及び図2Bに示されている構造100の例において、ゴルフバッグ本体部材102及びフリップポケット120にはいずれも1つ又は複数の磁石126が備えられる。図2A及び図2Bでは隠されて示されているが（例えば、織物の層の真下に設けられる）、本発明から逸脱することなく、必要に応じて、磁石126のうちの1つ又は複数をゴルフバッグ本体部材102及び/又はフリップポケット120の外面で露出させ又は前記外面に取り付けることができる。この図示の例における磁石126は、フリップポケット120が下方位置に配置されるときにフリップポケット120の下側部分に位置付けられる。磁石126は、フリップポケット120の下側部分をゴルフバッグ本体部材102に対して解放可能に固定するとともに、例えばゴルフバッグ100がカート上で搬送されているときにフリップポケット120の望ましくないめくれ又は動きを防止するのに役立つ。
【００３６】
以下の図3A〜図3Cの説明から更に明らかになるように、ゴルフバッグ本体部材の表面及びフリップポケット120の裏側128は、搬送装置固定ストラップを通すことができるチャネル又はスロットを画定する。必要に応じて、図2A及び図2Bに示されているように、このチャネルの少なくとも一部には、例えば滑り防止要素112A及び112Bと関連して前述した様々なタイプの滑り防止面130が設けられてもよい。滑り防止面130は、例えば滑り防止要素112A及び112Bに関して示された構造と同じ一般的構造の滑り防止要素112Cの一部として設けられてもよく、その場合、ベース部材114及び滑り防止材料116が滑り防止要素112Cの露出外面130の少なくとも一部を与える。本発明の少なくとも幾つかの例において、滑り防止要素112C及びストラップ受けチャネルは、フリップポケット120の取り外し不能な接続部（例えば縫い目122）と解放可能な固定システム（例えば、磁石126）との間に位置付けられている。本発明から逸脱することなく、フリップポケット120の後ろに少なくとも部分的に任意の数の滑り防止面130及び/又は滑り防止要素112Cが（任意の所望のサイズ、形状、向き、及び、構成で）設けられてもよい。図2A及び図2Bは、フリップポケット120が係合位置にあるときにフリップポケット120により完全に覆われるこの滑り防止要素112Cを示すが、これは要件ではない。むしろ、必要に応じて、滑り防止要素112Cの何らかの部分がフリップポケット120の周縁を越えて延在してもよい（したがって、フリップポケット120が下方位置にあるときでも露出される）。別の代案においては、必要に応じて、滑り防止要素112A及び/又は112Bが、フリップポケット120の真下の領域へと延在してもよく、且つ/又は、フリップポケット120の真下に延在している単一の長尺な滑り防止要素を形成してもよい。
【００３７】
図3A〜図3Cは、本発明のこの局面に係るゴルフバッグ構造100の使用を示している。本発明に係るゴルフバッグ100を搬送装置200（例えば、手動推進式又は自動推進式のゴルフカート）に固定するために、ゴルフバッグ100は、図3Aに矢印204により示されているように、また、図3Bに示されているように、搬送装置200の支持部材202上に配置される。
【００３８】
ゴルフバッグベース132を保持するための支持部材202に加えて、搬送装置は、一般に、ゴルフバッグ100が使用中に搬送装置200から離れて落ちるのを防止するのに役立つように、ゴルフバッグ100の上部と係合するための固定ストラップ206を含む。本発明の少なくとも幾つかの例によれば、この上側固定ストラップ206が以下のように固定される。バッグ取り付けプロセス中のある時点で（バッグ100が支持体202上に配置される前又は後）、ゴルフバッグ構造100のこの例のフリップポケット120は、例えば磁石126の対の間の引力に打ち勝って磁石126を分離することによって、（例えば、図2A及び図2Bに示されているように、また、前述したように）係合位置（及び係合状態）から離脱位置及び離脱状態へとめくられる。この離脱は、フリップポケット120の裏面128とゴルフバッグ本体部材102との間の空間を開放し、この例では滑り防止要素112Cを露出させる。空間が開放された状態で、固定ストラップ206をバッグ100の上部領域の周囲に容易に巻き付けて滑り防止要素112A、112B及び/又は112C（存在する場合）のうちの1つ又は複数と係合させることができ、その後、（例えば、一般に図3Bに示されているように）固定ストラップ206を反対側に固定することができる。本発明から逸脱することなく、バックル、クランプ状装置、及び/又は、面ファスナー型システム、例えば従来のゴルフカートやチャイルドカーシートなどで使用されるものを含む任意のタイプのストラップ固定装置を使用できる。
【００３９】
適切に配置されて固定されると、例えば図3Cに示されているように、フリップポケット120を、その係合位置及び係合状態へと戻すことができる。ゴルフバッグ本体部材102に設けられる滑り防止要素112Cに加えて又は代えて、（固定ストラップ206の材料に対する）滑り防止面が、1つ又は複数の他の適切な場所に、例えばフリップポケット120の裏面128に設けられてもよい。図3Cに示されているように、フリップポケット120の裏面128及びゴルフバッグ本体部材102Cの表面は、（任意で、ゴルフバッグ本体部材に設けられる滑り防止要素112Cと共に）チャネル又はスロットを画定し、該チャネル又はスロットを通じてストラップ部材206がフリップポケット120の後ろにおいて延在する。
【００４０】
この態様及び構造的配置において、本発明のこの局面に係るゴルフバッグ100のフリップポケット120の特徴は、バッグを搬送装置200に対して依然として適切に固定しつつ、且つ、固定ストラップ206が締め付けられるときにフリップポケット120の中身に悪影響を与えることなく、特に（多くの場合、使用時に最も都合良くアクセスできるゴルフバッグの領域となり得る）ゴルフバッグの上側領域において収納能力を向上させる。
【００４１】
本発明から逸脱することなく、前述した様々な構造及び動作に関して多くの変形が可能である。例えば、図2A〜図3Cと関連して前述した構造では、相互作用する磁石126の対を使用して、フリップポケット120の下側部分がゴルフバッグ本体部材102に解放可能に固定された（すなわち、対の一方の磁石がフリップポケット120と係合され、対の他方の磁石がゴルフバッグ本体部材102と係合される）。これは要件ではない。例えば、必要に応じて、一部の磁石126を、磁石に引き付けられる金属材料と置き換えてもよい。金属材料は、ゴルフバッグ本体部材102と係合されて、フリップポケット120に係合されている磁石と相互作用してもよく、あるいは、金属材料は、フリップポケット120と係合されて、ゴルフバッグ本体部材102に係合されている磁石と相互作用してもよい。
【００４２】
本発明から逸脱することなく、固定機構における他の変形が可能である。例えば、図4に示されているように、フリップポケット120の上端部は、縫い目400によってゴルフバッグ本体部材102と取り外し不能に係合されていてもよく、一方、フリップポケット120の下端は、1つ又は複数のスナップ機構によってゴルフバッグ本体部材102と解放可能に係合されている。各スナップ機構の一方の部分402Aがゴルフバッグ本体部材102と係合されていてもよく、一方、スナップ機構の相手側部分402Bがフリップポケット120と（例えばフリップポケットの裏面で）係合されていてもよい。図4にも示されているように、フリップポケット120の少なくとも取り付け部404の材料は、ポケットをゴルフバッグ本体部材102の材料に対して取り付ける縫い目400の周りでポケットが移動できるように十分に柔軟（例えば布地材料）であってもよい。
【００４３】
図5は、本発明の少なくとも幾つかの例に係るゴルフバッグ構造に設けられてもよい更なる及び/又は代わりの特徴例を示している。この配置例では、フリップポケット120の下側部分とゴルフバッグ本体部材102とを解放可能に係合させるために機械的留め具システム500が設けられている。図5には、他のゴルフバッグストラップと共に使用されるタイプの機械的留め具システムが示されているが、本発明から逸脱することなく、折り畳み式乳母車、チャイルドカーシート、幼児椅子などで使用されるタイプの留め具を含む任意の所望のタイプの解放可能な機械的留め具が設けられてもよい。図5に示されているように、機械的留め具システム500のこの例では、留め具の一部がゴルフバッグ本体部材102と係合され、相手側部分にフリップポケット120が設けられている。図5には2つの留め具システム500が示されているが、本発明から逸脱することなく、任意の数が任意の所望の場所又は方向に設けられてもよい。
【００４４】
図6は、面ファスナーシステムにより固定されるフリップポケット構造120の他の例を示しており、この場合、面タイプファスナーの一方の部分600Aがゴルフバッグ本体部材102と係合され、他方の部分600Bがフリップポケット120の裏面と係合されている。図6には1つの面ファスナーシステムが示されているが、本発明から逸脱することなく、任意の数が任意の所望の場所又は向きに設けられてもよい。
【００４５】
図2A〜図6に示されている構造の例の全ては、ゴルフバッグ本体部材102とフリップポケット120とに設けられている解放可能な接続要素の1対1の組み合わせを示している。これは要件ではない。例えば、図7に示されているように、フリップポケット120は、ゴルフバッグ本体部材102に設けられている単一の金属材料部材702と係合する、フリップポケット120（例えばフリップポケットの裏面）に設けられている2つの（又はそれより多い）磁石700によって、係合位置に解放可能に固定されてもよい。あるいは、図8に示されているように、フリップポケット120は、フリップポケット120の裏面に設けられている単一の金属材料部材802と係合する、ゴルフバッグ本体部材102に設けられている2つの（又はそれより多い）磁石800によって、係合位置に解放可能に固定されてもよい。必要に応じて、これらの構成のいずれかにおいては、（フリップポケット120を係合位置に固定するために2つの磁石が互いに引き付け合うように）金属材料部材が他の磁石と交換されてもよい。本発明から逸脱することなく、任意の所望の数の解放可能な係合部材及び解放可能な係合部材の組み合わせが使用されてもよい。
【００４６】
図1A〜図8の全ては、ゴルフバッグ100が直立方向にある（図1A〜図3Cに示されているようにそのベース132上に立っている）ときにフリップポケット120の上端部がゴルフバッグ本体部材102と取り外し不能に係合され且つフリップポケット120の下端がゴルフバッグ本体部材102と解放可能に係合される、フリップポケットの構成及び配置の例を示している。これは、本発明の全ての例における要件とは限らない。例えば、必要に応じて、（バッグが直立方向にあるとき）フリップポケット120の下端をゴルフバッグ本体部材102と取り外し不能に係合させ、一方、フリップポケット120の上端部が解放可能に係合されることができる。別の例としては、必要に応じて、フリップポケット120の1つの角部（例えば、左上角部）をゴルフバッグ本体部材102と取り外し不能に係合させ、一方、フリップポケットの他の部分が解放可能な接続部を含むことができる。更なる別の例では、フリップポケット120の一方の側縁をその上端部及び下端部でゴルフバッグ本体部材102に取り外し不能に固定し、一方、反対側の縁又は上縁及び/若しくは下縁を解放可能に固定することができる（このタイプの配置では、取り外し不能に固定される側縁がスロットを画定するべく固定されない中央部を含んでもよく、ゴルフバッグを搬送装置に固定するために、ストラップをベルト通しに通すように該スロットを通じて固定ストラップを挿入してもよい）。
【００４７】
また、図1A〜図8の全ては、固定ストラップがフリップポケット120の真下を通る場所の一方の側（例えば、ストラップより上側）でフリップポケット120の取り外し不能な係合がなされるとともに、固定ストラップが通る場所の他方の側（例えば、ストラップより下側）で解放可能な係合がなされるシステムの例を示している。これは、本発明に係る全ての構造における要件とは限らない。例えば、必要に応じて、解放可能な固定システムは、例えば少なくとも部分的に滑り防止要素（存在する場合）よりも上側又は該滑り防止要素と同じ高さの場所で、例えば取り外し不能な接続領域よりも僅かに下側の場所で、フリップポケット120の側縁に沿って設けられ得る。更なる別の例として、必要に応じて、解放可能なコネクタが完全に省かれてもよく、また、フリップポケット120は、単に重力下で下方に垂れ下がることができる（任意で、バッグが直立位置に方向付けられるときに、閉塞位置でゴルフバッグ表面と接触する）。
【００４８】
更なる別の可能なオプションとして、フリップポケット120を係合位置又は下方位置で解放可能に保持するための構造は、フリップポケット120とゴルフバッグ本体部材102との間の取り外し不能な接続の一部として設けられてもよい。1つの更に特定の例は、フリップポケット120の一部（例えば、フリップポケットの上縁、側縁など）が1つ又は複数のヒンジ又は他の回転可能な接続部材（例えば、縫い目122が1つ又は複数のヒンジと置き換えられる）によってゴルフバッグ本体部材102と取り外し不能に係合されている配置を含む。そのようなフリップポケット120を図2A〜図8と関連して前述した接続要素によって下方位置又は他の係合位置で依然として解放可能に固定できるが、本発明から逸脱することなく、フリップポケット120を係合位置において適所で解放可能に保持するための他のシステムが使用されてもよい。例えば、フリップポケット120をゴルフバッグ本体部材102に取り付けるヒンジは、フリップポケット120を下方位置又は係合位置へ押し進めるようにヒンジを偏らせるためにバネ又は他の張力付与装置を含んでもよい。別の例として、フリップポケット120をゴルフバッグ本体部材102に取り付けるヒンジは、（例えば、任意でラチェットアセンブリのような）ロック・解放機構を含んでもよく、この機構により、ヒンジをロック状態と可動状態との間を選択的に移行させることができる。更なる別の例として、フリップポケット120をゴルフバッグ本体部材102に取り付けるヒンジは、フリップポケット120を下方位置又は係合位置に保持するのに役立つように戻り止め又は他の変形可能な捕捉機構（例えば、車の後方確認用ミラー又は自転車のキックスタンドを所定位置に保持するために使用される構造と同様の機構）を含んでもよい。
【００４９】
前述したように、全ての搬送装置がゴルフバッグを同じ向きで保持するとは限らない。一部の搬送装置（又は搬送技術）は、クラブをバッグに対して（重力下で）一方向に傾かせる場合があり、一方、他の搬送装置（又は搬送技術）は、クラブをバッグに対して（重力下で）他の方向（しばしば反対方向）に傾かせる場合がある。バッグが搬送されているときに長いシャフトを有するクラブ（例えばウッド）が短いシャフトを有するクラブ（例えば、アイアン）よりも「低い位置」でゴルフバッグ内に配置される場合には、短いクラブのヘッドが長いクラブのシャフトとぶつかってシャフトを破損させる場合がある。
【００５０】
多くのゴルフバッグは、ドライバー、パターなどの特定のクラブを収容するように特別に仕立てられた場所又は区画室を伴うクラブ仕切り又はセパレータを有する。そのような状況において、選択される特定の搬送装置又は搬送技術に関してバッグの「低い側」にドライバー用の区画室が位置付けられている場合には、この向きにより、アイアンのヘッドがドライバーシャフトとぶつかる可能性があることに起因して、ドライバーシャフトが破損する危険がある。この問題に対処しようとして、一部のゴルフバッグは、2つの形式、すなわち、特別な区画室（例えばドライバー又はパターのための区画室）が（クラブが一方向に傾く特定の搬送装置又は搬送技術に関して）バッグの第1の側に位置付けられる1つの形式と、これらの同じ特別な区画室（例えばドライバー又はパターのための区画室）が（クラブが反対方向に傾く特定の搬送装置又は搬送技術に関して）バッグの反対側に位置付けられる別の形式とをとる場合がある。前述したように、これらの特徴は、クラブ仕切りがバッグ内に一つの向きでのみ嵌合し、それにより、（部品の適切な方向を確保するために）より多くの製造制御を必要とすること、及び/又は（製造メーカーが両方の形式のバッグを作製できるようにするために）多量のバッグ部品在庫を必要とすることから、ゴルフバッグの製造コスト及び複雑さを増大させる。また、製造メーカーは、特定の場所又は市場（例えば、一方のタイプの搬送装置又は搬送技術又は他方のタイプの搬送装置又は搬送技術を有する場所又は市場）に合わせて特定のバッグ形式をターゲットにする必要があるかもしれない。消費者が特定の搬送装置又は搬送技術に関して誤ったバッグを購入する場合、消費者は自分達のクラブを破損する危険がある（また、製造メーカーが消費者からかなりの不満を受ける場合がある）。
【００５１】
図9A〜図9Cは、前述した問題の一部を排除する又は軽減するのに役立つようにしようとする本発明の少なくとも幾つかの例に係るゴルフバッグの更なる特徴を示している。図9A及び図9Bに最も良く示されているように、本発明の例に係る幾つかのゴルフバッグ構造900はゴルフバッグ本体902を含み、該ゴルフバッグ本体902にはクラブセパレータ又は仕切り構造904が係合されている。ゴルフバッグ本体902及びクラブセパレータ904は、本発明から逸脱することなく、セメント又は接着剤を介する、ステッチ又は縫合による、機械的なコネクタ（例えば、ボルト、ネジ、リベット等）による等の当技術分野において公知の又は使用される従来の態様を含む任意の所望の態様で互いに係合されてもよい。必要に応じて、ゴルフバッグ本体902及びクラブセパレータ904のいずれか一方又は両方は、部品同士が互いに適切に嵌合されて係合されるようにするのに役立つ舌部・溝構造等のような構造を含んでもよい。
【００５２】
クラブセパレータ904は、1つ又は複数の仕切り要素908を使用してゴルフバッグ900の主区画室906を複数の異なる部分区画室へと分割する。本発明から逸脱することなく、任意の所望の数の部分区画室が形成されてもよいが、この図示されている例では、主区画室906が14個の部分区画室へと分割されている。また、本発明から逸脱することなく、クラブセパレータ904に全ての部分区画室を設けるために任意の数の仕切り要素908が使用されてもよい。仕切り要素908は、例えばバッグの全高さH（高さ寸法Hの表示に関しては図1B参照）の1％〜100％など、バッグの全高さの任意の所望の範囲にわたって延在してもよい。
【００５３】
便宜上、また、以下の説明を容易にするため、図9A〜図9Cに示されているクラブセパレータ904には、「北」、「南」、「東」、及び、「西」側面又は縁部のラベルが付されている。図9Cに示されているように、この構造例のクラブセパレータ904は、その外周が南北方向（例えば、ゴルフバッグの前後方向）に延びている中心線又は面に対して対称となるように構成されている。また、図9Cに示されているように、この構造例のクラブセパレータ904は、その外周が東西方向（例えば、ゴルフバッグの左右方向）に延びている中心線又は面に対して対称となるように構成されている。更に、必要に応じて、クラブセパレータ904の外周は、図9Bに示されているように、上下方向に延びている中心線又は面に対して対称であってもよい。また、図9A及び図9Cに更に示されているように、仕切り要素908は、部分区画室が南北軸及び東西軸に対して対称様式に配置されるように設けられてもよい。
【００５４】
この対称なクラブセパレータ904は、前述した問題の一部を様々な方法で軽減するのに役立つ。第1に、その対称な特徴に起因して、バッグの一方の側の部分区画室は、バッグの反対側の部分区画室と同じである。したがって、クラブセパレータ904は、2つの方向のいずれかで（例えば、図9Aにおいて「北」を上にして、あるいは、図9Aにおいて「北」を下にして）ゴルフバッグ本体902と係合されればよい。これは、ゴルフバッグの製造を簡略化し、製造コストを低減する（例えば、仕切り904に対してゴルフバッグ902を特定の向きにする必要がなく、異なるバッグ形式に関してゴルフバッグ本体902及び/又はクラブセパレータ904の在庫を別個に維持する必要がなく、異なるバッグ形式を異なる地域又は異なる取引先へ輸送することを考える必要がないなど）。
【００５５】
また、クラブセパレータ904は同じサイズ及び形式の部分区画室を両側のそれぞれに含むため、クラブを、バッグ900内において、任意の所望の態様で、また、ゴルフの特定のラウンドにおいて使用される搬送装置又は搬送技術に更に適した態様で方向付けることができる（例えば、特定の搬送装置及び/又は搬送技術に関して長いクラブを常にバッグの高い端部の方へ位置付けられるように移動させることができる）。これらの特徴は、バッグをより適応性があるものにし（任意の所望の搬送装置又は搬送技術に関して有用である）、消費者が自分達の特定の用途にあまり適さないバッグを購入するのを防止するのに役立つ（それにより、クラブの破損及び消費者関係が損なわれるのを防止するのに役立つ）。
【００５６】
III.結論
本開示及び添付図面は、本発明の範囲を限定しないように、記載されたゴルフバッグに関連する様々な特徴及び概念の例を与えるのに役立つ。当業者であれば分かるように、添付の特許請求の範囲に規定される本開示の範囲から逸脱することなく、前述した配置に対して多数の変形及び改良がなされてもよい。
【図１Ａ】
2014519954.tif 000004
【図１Ｂ】
2014519954.tif 000005
【図２Ａ】
2014519954.tif 000006
【図２Ｂ】
2014519954.tif 000007
【図３Ａ】
2014519954.tif 000008
【図３Ｂ】
2014519954.tif 000009
【図３Ｃ】
2014519954.tif 000010
【図４】
2014519954.tif 000011
【図５】
2014519954.tif 000012
【図６】
2014519954.tif 000013
【図７】
2014519954.tif 000014
【図８】
2014519954.tif 000015
【図９Ａ】
2014519954.tif 000016
【図９Ｂ】
2014519954.tif 000017
【図９Ｃ】
2014519954.tif 000018
【国際調査報告】
2014519954.tif 000019
2014519954.tif 000020